(57)【要約】【課題】送風機が正常に負圧効果を有しているかどうかを確認することができる送風機用試験箱及びそれを用いた送風機の試験方法を提供する。【解決手段】試験箱２８の箱本体３０に送風機１０を収納し、第１開口部３４に送風機１０の吸込口２２を連結し、第２開口部４０に送風機１０の吐出口２０を連結し、送風機１０を動作させて圧力測定器４２によって測定された圧力が負圧である場合にはその送風機１０は正常であると判断するものである。【選択図】      図１
2005139933.tif 000002
【特許請求の範囲】
【請求項１】
送風機の動作を検査するための送風機用試験箱であって、
前記送風機を収納して気密状態にできる箱本体と、
前記箱本体は、第１開口部と第２開口部とを有し、
前記第１開口部は、前記送風機の吸込口に連結され、
前記第２開口部は、前記送風機の吐出口に連結され、
前記箱本体の内圧を測定するための圧力測定手段を有する
ことを特徴とする送風機用試験箱。
【請求項２】
前記送風機は、
モータとケーシングとよりなり、
前記ケーシングには前記吸込口と前記吐出口が設けられ、
前記ケーシング内部には、前記モータにより回転する羽根車が設けられ、
前記ケーシング、または、モータには、前記ケーシング内部に空気を吸い込むための負圧効果用開口部が設けられている
ことを特徴とする請求項１記載の送風機用試験箱。
【請求項３】
前記送風機は、
ボイラーに組み込まれる燃焼用送風機である
ことを特徴とする請求項１または２記載の送風機用試験箱。
【請求項４】
請求項１から３のうち少なくとも一項に記載の送風機用試験箱を用いて前記送風機の動作を試験する送風機の試験方法であって、
前記箱本体に前記送風機を収納し、
前記第１開口部に前記送風機の吸込口を連結し、
前記第２開口部に前記送風機の吐出口を連結し、
前記送風機を動作させて前記圧力測定手段によって測定された圧力が負圧であるときに正常であると判断する
ことを特徴とする送風機の試験方法。
【発明の詳細な説明】
【技術分野】
【０００１】
本発明は、ボイラーなどに用いられる送風機の試験を行う場合の発明に関するものである。
【背景技術】
【０００２】
従来より、送風機の吸込口に燃焼ガスを入れるタイプのボイラーに組み込まれる燃焼用の送風機が種々提案されている（例えば、特許文献１）。
【０００３】
このような燃焼用の送風機は、送風機の本体である軸孔付近を負圧にし、ケーシング内に風を呼び込む構造、即ち、負圧効果を有する構造にすることにより、ケーシング外部に燃焼用ガスが漏れないように対策を採っている。
【特許文献１】特開平８−２４７０９６号公報
【発明の開示】
【発明が解決しようとする課題】
【０００４】
上記のような構造の燃焼用の送風機は、負圧効果を有するか否かを確認する必要がある。この負圧効果を確認する方法としては、従来は、送風機で煙を吸わせ、この煙の風の流れを可視化して、ケーシング内に風が吸い込まれているか否かを確認する方法を採っている。
【０００５】
しかし、このような煙で風の流れを見る方法であると確認しづらく不確かであり、また、数値管理を行うことができないという問題点がある。
【０００６】
そこで、本発明は上記問題点に鑑み、送風機が正常に負圧効果を有しているかどうかを確認することができる送風機用試験箱及びそれを用いた送風機の試験方法を提供するものである。
【課題を解決するための手段】
【０００７】
請求項１に係る発明は、送風機の動作を試験するための送風機用試験箱であって、前記送風機を収納して気密状態にできる箱本体と、前記箱本体は、第１開口部と第２開口部とを有し、前記第１開口部は、前記送風機の吸込口に連結され、前記第２開口部は、前記送風機の吐出口に連結され、前記箱本体の内圧を測定するための圧力測定手段を有することを特徴とする送風機用試験箱である。
【０００８】
請求項２に係る発明は、前記送風機は、モータとケーシングとよりなり、前記ケーシングには前記吸込口と前記吐出口が設けられ、前記ケーシング内部には、前記モータにより回転する羽根車が設けられ、前記ケーシング、または、モータには、前記ケーシング内部に空気を吸い込むための負圧効果用開口部が設けられていることを特徴とする請求項１記載の送風機用試験箱である。
【０００９】
請求項３に係る発明は、前記送風機は、ボイラーに組み込まれる燃焼用送風機であることを特徴とする請求項１または２記載の送風機用試験箱である。
【００１０】
請求項４に係る発明は、請求項１から３のうち少なくとも一項に記載の送風機用試験箱を用いて前記送風機の動作を試験する送風機の試験方法であって、前記箱本体に前記送風機を収納し、前記第１開口部に前記送風機の吸込口を連結し、前記第２開口部に前記送風機の吐出口を連結し、前記送風機を動作させて前記圧力測定手段によって測定された圧力が負圧であるときに正常であると判断することを特徴とする送風機の試験方法である。
【発明の効果】
【００１１】
請求項１〜３に記載の送風機用試験箱を用いて送風機の動作を試験する送風機の試験方法について説明する。即ち、請求項４に係る発明の送風機の試験方法について説明する。
【００１２】
送風機用試験箱の箱本体に送風機を収納し、この場合に、箱本体の第１開口部に送風機の吸込口を連結し、第２開口部に送風機の吐出口を連結する。これによって、送風口及び吐出口以外の部分は気密状態の箱本体に収納された状態となる。
【００１３】
そして、送風機を動作させると、第１開口部を経て吸込口から送風機内部に空気が吸い込まれ送風機の吐出口を経て第２開口部から空気が吐出される。この場合に、送風機に開口している負圧効果用開口部からも空気が吸い込まれる。そのため、気密状態の箱本体内部は負圧状態となり、この負圧状態を圧力測定手段によって測定し、圧力が負圧になっていれば正常に負圧効果が働いているものとする。そして、圧力手段によって測定された圧力が負圧になっていなければ負圧効果が正常に発生していないと判断する。
【００１４】
この試験方法は、ボイラーに組み込まれる燃焼用送風機の試験方法として好適である。
【００１５】
本発明の試験方法であると、圧力測定手段によって測定された圧力が負圧になれば容易にその送風機が正常に動作していることが判断でき、またその負圧の数値を数値管理することができる。
【発明を実施するための最良の形態】
【００１６】
以下、本発明の一実施形態の送風機１０の試験方法について説明する。
【００１７】
（１）送風機１０の構造
まず、図１に基づいて送風機１０の構造について説明する。この送風機１０は、ボイラーの内部に組み込まれる送風機である。
【００１８】
送風機１０は、ケーシング１２とモータ１４とより形成されている。ケーシング１２は、ケーシング本体１６とケーシング本体１６の上面に被せられる蓋体１８とより構成され、略円盤状の形状をなしているが、平面形状は図３に示すようにその外周部分の一部が直線状に延び、吐出口２０に続いている。即ち、吐出口２０は、ケーシング１２の側面に開口している。また、吸込口２２は、蓋体１８、即ち、ケーシング１２の上面に開口している。
【００１９】
ケーシング１２の下面には、モータ１４が配され、そのモータ１４の回転軸は、ケーシング１２内部に回転自在に配されている羽根車２４に連結されている。  モータ１４の上面縁部とケーシング１２の下面縁部との間には、略リング状の負圧効果用開口部２６が開口している。
【００２０】
（２）試験箱２８の構成
次に、上記構成の送風機１０の動作状態を試験するための試験箱２８について説明する。
【００２１】
試験箱２８は、その内部に送風機１０を収納できる大きさをなし、略直方体形状をなし、箱本体３０と、箱本体３０に被せられる蓋体３２とより構成されている。
【００２２】
蓋体３２の略中央部には、送風機１０の吸込口２２と連結する第１開口部３４が開口している。この第１開口部３４には、吸込口２２と連結するための筒状の連結筒体３６が貫通し、連結筒体３６の上面は開口し、下面は、吸込口２２の全ての部分を覆う構造となっている。これにより、試験箱２８の内部と吸込口２２の部分とは区画された状態となっている。また、この区画を完全にするために連結筒体３６の下面にはシール部材３８が配されている。
【００２３】
試験箱２８の側壁には、送風機１０の吸込口２２と連結される第２開口部４０が開口している。
【００２４】
蓋体３２には、圧力測定器４２が設けられている。この圧力測定器４２は、蓋体３２に開口した静圧測定孔４４に連結される圧力管４６よりなり、圧力管４６は、図１に示すように、静圧測定孔４４から一旦上方に延びその後水平に折曲されその後更に下方に折曲されその後Ｕ字状に折曲され、圧力管４６の端部４８は開口した状態となっている。そして、圧力管４６のＵ字状の部分には、液体が収納されている。そして、圧力管４６のこのＵ字状の液高さの差Ａによって、試験箱２８内部が負圧状態であるか否かを測定することができる。
【００２５】
（３）試験方法
上記構成の送風機１０を、試験箱２８を用いて試験する方法について説明する。
【００２６】
まず、蓋体３２を箱本体３０から取り外し、送風機１０を箱本体３０内部に収納する。この場合に、第１開口部３４から延びている連結筒体３６に送風機１０の吸込口２２を装着し、吐出口２０を第２開口部４０に装着する。そして蓋体３２を閉めて、試験箱２８内部を気密状態とする。
【００２７】
次に、圧力管４６における液高さの差Ａがゼロであることを確認する。
【００２８】
次に、送風機１０を動作させる。送風機１０のモータ１４が回転すると羽根車２４も回転して、吸込口２２から空気が吸い込まれ吐出口２０から排出される。この時、吸込口２２から吐出口２０に流れる空気については、試験箱２８とは区画された状態となっている。
【００２９】
また、羽根車２４が回転することによりケーシング１２内部が負圧状態になるため、負圧効果用開口部２６から空気が吸い込まれ、またモータ１４に開口している孔からも空気が吸い込まれケーシング１２内部に吸い込まれる。これにより、試験箱２８内部は負圧状態となるため、圧力測定器４２の圧力管４６内部にある液体が吸い込まれ、液高さの差Ａが大きくなる。
【００３０】
そして、この液高さの差Ａを測定することにより、送風機１０が正常に動作して試験箱２８内部が正常な値の負圧状態になっているか否かを容易に判断することができる。また、その差Ａを数値として表現することができるため、数値管理を行うことができる。
【００３１】
一方、送風機１０が正常に動作せず試験箱２８内部が負圧状態にならなければ、圧力管４６における液高さの差Ａが発生せず、その送風機１０については不良であると判断することができる。
【００３２】
以上のように、送風機１０の動作を簡単に試験することができると共に、負圧効果を液高さの差Ａによって数値管理することができる。
【００３３】
（変更例）
上記実施形態では、圧力測定器４２として圧力管４６を用いる構造であったがこれ以外の方法で圧力を測定してもよい。
【産業上の利用可能性】
【００３４】
本発明の送風機用試験箱は、ボイラーなどに用いられる送風機の試験に用いるのが好適である。
【図面の簡単な説明】
【００３５】
【図１】本発明の一実施形態を示す試験箱及び送風機の半縦断面図である。
【図２】送風機を収納した状態の試験箱の側面図である。
【図３】送風機を収納した状態の試験箱の平面図である。
【符号の説明】
【００３６】
１０  送風機
１２  ケーシング
１４  モータ
２０  吐出口
２２  吸込口
２４  羽根車
２６  負圧効果用開口部
２８  試験箱
３０  箱本体
３４  第１開口部
４０  第２開口部
４２  圧力測定器
【図１】
2005139933.tif 000003
【図２】
2005139933.tif 000004
【図３】
2005139933.tif 000005